(57)【要約】  本発明は、ハイブリッド自動車のトラクションバッテリの健康状態を保持するための方法に関する。本発明によれば、方法は、ａ）ハイブリッド自動車にインストールされたナビゲーションシステムを用いて作られることになる行路を入手すること、ｂ）前記行路を連続部分に分割すること、ｃ）この部分のそれぞれの特性を表現する属性を割り振ること、ｄ）前記部分に対するハイブリッド自動車のあらゆる燃料消費値をトラクションバッテリの充電値または放電値にリンクさせる曲線またはマップを、前記部分のそれぞれに対して判断すること、ｅ）行路全体にわたってトラクションバッテリの老朽化を最小化すること、および前記行路の終了時にトラクションバッテリが完全に放電されることを保証することを可能にする、それぞれの曲線またはマップ上の最適点を判断すること、ならびにｆ）最適点の座標に応じてエネルギー管理設定値を生成すること、を行うステップを含む。【選択図】図１１
2020505263.tif 000002
【特許請求の範囲】
【請求項１】
燃料を供給される内燃機関、およびトラクションバッテリによって供給される電気エンジンを備えるハイブリッド車のエネルギー消費を最適化するための方法であって、
ａ）通ることになるルートをナビゲーションシステムによって入手することと、
ｂ）前記ルートを連続的なセクション（Ｔｉ）に分割することと、
ｃ）前記セクション（Ｔｉ）の特性を示す属性（ＦＣ、ＳＣ、ＳＬ、ＴＳ、ＲＧ、ＬＬ、ＮＬ、ＳＭＳ）を各セクション（Ｔｉ）に対して入手することと、
ｄ）前記セクション（Ｔｉ）のそれぞれに対して、前記セクション（Ｔｉ）の属性（ＦＣ、ＳＣ、ＳＬ、ＴＳ、ＲＧ、ＬＬ、ＮＬ、ＳＭＳ）を考慮して、前記セクション（Ｔｉ）にわたる前記ハイブリッド自動車の燃料消費（ＣＣ）を前記ハイブリッド自動車の電気エネルギー消費（ΔＳＯＥ）にリンクさせる関係（ＣＥｊ）を、前記燃料消費値（ＣＣ）を前記電気エネルギー消費値（ΔＳＯＥ）とリンクさせる複数の所定の関係（ＣＥｊ）の中から選択することと、
ｅ）最適点（Ｐｉ）の全てが、前記ルート全体にわたって前記トラクションバッテリの老朽化を最小化し、前記ルートの終点において前記トラクションバッテリの放電を最大化するように、前記選択された関係（ＣＥｊ）のそれぞれにおいて前記トラクションバッテリの健康状態（ＳＯＨ）を保持するための前記最適点（Ｐｉ）を判断することと、
ｆ）前記最適点（Ｐｉ）の座標の関数として、前記ルート全体に沿って、前記自動車の前記燃料消費および前記電流消費を管理するための設定値を構築することと
を行うステップを実行するという点で特徴づけられる、ハイブリッド車のエネルギー消費を最適化するための方法。
【請求項２】
ステップｅ）において、各セクション（Ｔｉ）に対して選択された前記関係（ＣＥｊ）のそれぞれにおける前記最適点（Ｐｉ）の前記判断が、前記トラクションバッテリの前記健康状態（ＳＯＨ）を保持するための保持関係（ｒｐｒｅ）によって重み付けされた、前記セクション（Ｔｉ）全体にわたる前記燃料消費に依存する、請求項１に記載のハイブリッド車のエネルギー消費を最適化するための方法。
【請求項３】
前記保持関係（ｒｐｒｅ）の値が、前記トラクションバッテリの前記エネルギー状態（ＳＯＥ）が、最適使用範囲［ＳＯＥｍｉｎ’；ＳＯＥｍａｘ’］内にあるときに減少する、請求項１または２に記載のハイブリッド車のエネルギー消費を最適化するための方法。
【請求項４】
前記保持関係（ｒｐｒｅ）の前記値が、目的地に到着するために踏破されることになる距離が増加するときに減少する、請求項２または３に記載のハイブリッド車のエネルギー消費を最適化するための方法。
【請求項５】
前記保持関係（ｒｐｒｅ）が、活性化関数（ｆａｃｔ）と重み関数（ｆｐｏｎｄ）の積に依存し、前記最適点（Ｐｉ）の前記判断において前記保持関係（ｒｐｒｅ）の影響を最小化するように、踏破されることになる残りの距離が、前記車の最大電気航続距離（ＡＥＲ）に基づいて判断される第１の閾値より小さいときに、前記活性化関数（ｆａｃｔ）の値が最小になる、請求項２から４のいずれか一項に記載のハイブリッド車のエネルギー消費を最適化するための方法。
【請求項６】
前記保持関係（ｒｐｒｅ）が、活性化関数（ｆａｃｔ）と重み関数（ｆｐｏｎｄ）の積に依存し、前記最適点の前記判断において前記保持関係（ｒｐｒｅ）の影響を最小化するように、前記トラクションバッテリの前記エネルギー状態（ＳＯＥ）が、前記トラクションバッテリの前記最適使用範囲［ＳＯＥｍｉｎ’；ＳＯＥｍａｘ’］外にあるときに前記重み関数（ｆｐｏｎｄ）の値が最小になる、請求項２から５のいずれか一項に記載のハイブリッド車のエネルギー消費を最適化するための方法。
【請求項７】
前記活性化関数（ｆａｃｔ）の前記値が、前記目的地に到着するために踏破されることになる前記距離が減少するときに最大になる、請求項５または６に記載のハイブリッド車のエネルギー消費を最適化するための方法。
【請求項８】
前記重み関数（ｆｐｏｎｄ）の前記値が、前記トラクションバッテリの前記エネルギー状態（ＳＯＥ）が、前記トラクションバッテリの前記最適使用範囲［ＳＯＥｍｉｎ’；ＳＯＥｍａｘ’］の中央にあるときに最大になる、請求項５から７のいずれか一項に記載のハイブリッド車のエネルギー消費を最適化するための方法。
【請求項９】
前記重み関数（ｆｐｏｎｄ）が、前記トラクションバッテリの前記最適使用範囲［ＳＯＥｍｉｎ’；ＳＯＥｍａｘ’］の１０％を超える範囲にわたる最大値を有する、請求項５から８のいずれか一項に記載のハイブリッド車のエネルギー消費を最適化するための方法。
【請求項１０】
前記トラクションバッテリの前記最適使用範囲［ＳＯＥｍｉｎ’；ＳＯＥｍａｘ’］が、６０％から８０％の間である、請求項３から９のいずれか一項に記載のハイブリッド車のエネルギー消費を最適化するための方法。
【発明の詳細な説明】
【技術分野】
【０００１】
本発明は、一般に、再充電可能なハイブリッド車に関する。
【０００２】
本発明は、より詳細には、燃料を供給される内燃機関、およびトラクションバッテリによって供給される電気エンジンを備えるハイブリッド車のエネルギー消費を最適化するための方法に関する。
【０００３】
本発明は、長い電気航続距離（ａｕｔｏｎｏｍｙ）を有するハイブリッド車における、つまり車の電気エンジンだけを使用して１０キロメートルを超える距離を進むことができる車における、著しい長所に適用される。
【背景技術】
【０００４】
再充電可能なハイブリッド車は、内燃機関および燃料タンクを備える従来の熱トラクションチェーン、ならびに、特に電源タップから充電されることが可能な、電気エンジンおよびトラクションバッテリを備える電気トラクションチェーンを含む。
【０００５】
このようなハイブリッド車は、ハイブリッド車の電気トラクションチェーンによって単独で、またはハイブリッド車の熱トラクションチェーンによって単独で、そうでなければ車のハイブリッドモードの動作に対応する、ハイブリッド車の電気トラクションチェーンと熱トラクションチェーンの２つによって同時に、運転されることが可能である。ただ１つのトラクションチェーン、または同時に両方のトラクションチェーンを使用するための選択は、エネルギー管理システム（ＥＭＳ：ｅｎｅｒｇｙ  ｍｅｎａｇｅｍｅｎｔ  ｓｙｓｔｅｍ）によって行われる。
【０００６】
車の将来のルートが未知であるという事実により、トラクションチェーンのどれか一方を使用するために現在実行される方策は、最小エネルギーレベルに達するまで、ルートの出発点においてトラクションバッテリを放電することによって計画的に出発すること、およびその後、熱トラクションチェーンを使用することに本質がある。このようにして、運転者が短いルートを通るとき、また運転者が規則的に、トラクションバッテリを再充電するオプションを有するとき、運転者は、電気トラクションチェーンをできるだけ使用し、このことにより、車の汚染排出物を低減させる。
【０００７】
したがって、エネルギー管理システムは、ルートの性質および地形を考慮せずにトラクションバッテリを完全に放電することを優先することを伴う、「放電維持（ｄｉｓｃｈａｒｇｅ−ｈｏｌｄ）」方策として知られるものを実行する。したがって、「放電維持」方策は、極端になり、前記バッテリの性能を早期に変化しやすくする可能性のある、トラクションバッテリへの負担を伴う。
【０００８】
具体的には、トラクションバッテリは、バッテリの本来の特性によって異なる規定のエネルギー状態（ＳＯＥ：ｓｔａｔｅ  ｏｆ  ｅｎｅｒｇｙ）の範囲にわたって動作することを意図している。例えば、電気自動車およびハイブリッド車において最も一般的に使用されるバッテリであるリチウムイオンバッテリに関して、この動作範囲は、一般に、エネルギー状態の範囲の１５％から９５％の間にある。これは、バッテリの使用可能容量と耐用期間との間の妥協を引き出すことによって定義される。温度、長期間にわたる高い電流の強さ、過電圧、不足電圧、等など、バッテリの性能を劣化させ、バッテリの容量を低減させる多くの要因がある。
【０００９】
この点に関しては、文献ＦＲ２９９５８５９が、トラクションバッテリの老朽化を抑えるためのエネルギー管理システムを開示している。この目的のために、本文献は、バッテリが老朽化したときにハイブリッドモードにおけるバッテリの使用範囲を拡大するエネルギー管理システムを提案している。
【発明の概要】
【００１０】
しかし、本解決策には、車によって踏破されることになる距離とは無関係に適用されるという欠点がある。このように、車は、ルート全体をハイブリッドモードで動かされることが可能であり、その一方で、トラクションバッテリの航続距離は、ガソリンを消費することなくルート全体を車が通ることを可能にしてきた。
【００１１】
別の欠点において、最適使用範囲は予め事前定義され、ルート上の走行プロフィールを考慮していない。したがってエネルギー管理システムは、走行条件がトラクションバッテリの使用に好都合ではないとき、トラクションバッテリの早期の老朽化をもたらす充電設定値または放電設定値を課すことができる。
【００１２】
従来技術からの上述の欠点を矯正するために、本発明は、導入において明らかにされたような、ハイブリッド車のエネルギー消費を最適化するための方法を提案し、方法は、
ａ）通ることになるルートをナビゲーションシステムによって入手することと、
ｂ）前記ルートを連続的なセクションに分割することと、
ｃ）前記セクションの特性を表現する属性を各セクションに対して入手することと、
ｄ）前記セクションのそれぞれに対して、また前記セクションの属性を考慮して、セクションにわたるハイブリッド自動車の燃料消費をハイブリッド自動車の電気エネルギー消費にリンクさせる関係を、燃料消費値を電気エネルギー消費値とリンクさせる複数の所定の関係の中から選択することと、
ｅ）最適点の全てが、ルート全体にわたってトラクションバッテリの老朽化を最小化し、前記ルートの終点においてトラクションバッテリの放電を最大化するように、選択された関係のそれぞれにおいてトラクションバッテリの健康状態を保持するための最適点を判断することと、
ｆ）前記最適点の座標の関数として、ルート全体に沿って、自動車の燃料消費および電流消費を管理するための設定値を構築することと
を行うステップを含む。
【００１３】
したがって、本発明によって、ハイブリッド車によって通られるルートにわたってトラクションバッテリの老朽化を最適に低減するように、電気エンジンがある程度使用されるべき時期、または内燃機関がある程度使用されるべき時期を判断することが可能である。より具体的には、本発明は、ルートの性質および地形を考慮して、最適かつ制限された動作範囲におけるトラクションバッテリの使用を優先することを可能にする。トラクションバッテリは、したがって、トラクションバッテリの健康状態をより尊重する条件で、つまり高すぎることも低すぎることもない電流の強さを電圧が加えることを可能にする電圧範囲で、使用される。都合のよいことに、本発明は、したがって、トラクションバッテリの耐用期間を増加させることを可能にし、したがって、トラクションバッテリの早期置換を回避することによってハイブリッド自動車のメンテナンス費用を抑える。
【００１４】
本発明の別の特徴によれば、ステップｅ）において、各セクションに対して選択された関係のそれぞれにおける最適点の判断は、トラクションバッテリの健康状態を保持するための保持関係によって重み付けされた、セクション全体にわたる燃料消費に依存する。言い換えると、重み付け関係は、トラクションバッテリがトラクションバッテリの最適使用範囲にあるときに電気エンジンの動作を優先することを可能にする。対照的に、トラクションバッテリの充電が、この最適な充電状態より低いか高いとき、重み付け関係は、トラクションバッテリに対する、電気エンジンによって及ぼされる負担を低減するように、熱燃焼機関の使用を優先する。それでも、重み付け関係は、トラクションバッテリの最適使用範囲外でのトラクションバッテリの使用を妨げないということに留意されたい。
【００１５】
本発明による、トラクションバッテリの健康状態を保持するための方法の、他の有利かつ非限定的な特徴は以下のようなものである。
−  保持関係の値は、ルートの中で、トラクションバッテリの最適使用範囲におけるトラクションバッテリの使用を管理設定値が優先するように、トラクションバッテリのエネルギー状態が最適使用範囲内にあるときに減少する。
−  保持関係の値は、目的地まで踏破されることになる距離が増加するときに減少し、好ましくは車の最大電気航続距離が減少し、目的地に到着するために車が踏破することになる残りの距離より小さいときに、管理設定値は、ルートの終点においてトラクションバッテリを放電するように、電気エンジンの使用を優先する。
−  保持関係は、活性化関数と重み関数の積に依存し、活性化関数の値は、選択された関係のそれぞれにおけるトラクションバッテリの健康状態を保持するための最適点の判断において保持関係の影響を最小化するように、例えば目的地に到着するために車が踏破することになる残りの距離の２倍より、車の最大電気航続距離が小さくなり得るときに最小になる。
−  保持関係は、活性化関数と重み関数の積に依存し、重み関数の値は、最適点の判断において保持関係の影響を最小化するように、トラクションバッテリのエネルギー状態が、トラクションバッテリの最適使用範囲外にあるときに最小になり、保持関係は、値１に至るのが好ましい。
−  活性化関数の値は、目的地に到着するために踏破されることになる距離が減少するときに最大になり、好ましくは、活性化関数の値は、ルートの終点においてトラクションバッテリの完全な放電を可能にするように、目的地に到着するために車が踏破することになる残りの距離の８倍より、車の最大電気航続距離が小さいときに最大になる。
−  活性化関数は、車によって踏破されることになる残りの距離より、ハイブリッド車の最大電気航続距離が小さいときに最大になることが可能である。
−  活性化関数は、２倍より大きいこと、また好ましくは、車の最大電気航続距離の６倍より大きいことが可能である。
−  活性化関数の値は、活性化関数の最小値と活性化関数の最大値との間で線形的に変化する。
−  重み関数の値は、電気エンジンのトラクションバッテリが、トラクションバッテリの最適使用範囲で動作しているときに、管理設定値が電気エンジンの使用を優先するように、トラクションバッテリのエネルギー状態が、トラクションバッテリの最適使用範囲の中央にあるときに最大になる。
−  重み関数の値は、トラクションバッテリの最適使用範囲の中央の両側で対称的に変化する。
−  例えば、重み関数は、トラクションバッテリの最適使用範囲の１０％を超える範囲にわたる、好ましくは、５０％を超える範囲にわたる、最大値を有することができる。
−  トラクションバッテリの最適使用範囲は、トラクションバッテリの最大充電の６０％から８０％の間である。
−  保持関係は、保持関係の値の変化の大きさを制御するように、最大重み値を含む。
−  最大重み値は、好ましくは、定数であり、０．１から１の間である。
−  保持関係は、活性化関数、重み関数、および最大重み値の積に比例する。
【００１６】
非限定的な例として示される添付の図面に関連して後に続く説明は、本発明が何から成り立っているか、またどのように実行され得るかということを理解するのを容易にするであろう。
【図面の簡単な説明】
【００１７】
【図１】車が通らなければならないルートのセクションの特性を表現する属性の値を示すテーブルである。
【図２】通ることになるルートのセクションの特性を表現する基準曲線のパラメータを示すテーブルである。
【図３】テスト走行において入手された固有消費曲線の分布を示すグラフである。
【図４】複数の基準曲線を示すグラフである。
【図５】図４の基準曲線のどれか一方と関連付けられたセクションの確率を、このセクションに割り当てられた各属性値と関連付けるテーブルである。
【図６】車の補助デバイスの電気消費を考慮して、基準曲線に対して行われることになる補正を示すグラフである。
【図７】対応するルートのセクションの傾斜を考慮して、基準曲線に対して行われることになる補正を示すグラフである。
【図８】最適化アルゴリズムを使用して最適な進路を探すためのアルゴリズムの計算ステップの例を示すグラフである。
【図９】本発明による活性化関数の形式の例を示すグラフである。
【図１０】本発明による重み関数の形式の２つの例を示すグラフである。
【図１１】本発明による方法（曲線Ａ）を使用するトラクションバッテリの最大電気航続距離、および放電維持方法（曲線Ｂ）を使用するトラクションバッテリの最大電気航続距離より長いルート上における、トラクションバッテリのエネルギー状態の変化の例を示すグラフである。
【発明を実施するための形態】
【００１８】
自動車は従来、動力伝達経路、車体部分、および客室部分を特に支えるシャシを含む。
【００１９】
再充電可能なハイブリッド車において、動力伝達経路は、熱トラクションチェーンおよび電気トラクションチェーンを含む。
【００２０】
熱トラクションチェーンは、燃料タンク、およびタンクから燃料を供給される内燃機関を特に含む。
【００２１】
電気トラクションチェーンは、電気トラクションチェーンとしては、トラクションバッテリ、およびトラクションバッテリによって電流を供給される１つまたは複数の電気エンジンを含む。
【００２２】
自動車は、この場合、例えば、家庭用の電力供給網で、または他の任意の電力供給網で、トラクションバッテリが現地で充電されることを可能にする電力ソケットも含む。
【００２３】
自動車は、トラクションバッテリによって電流を供給される電気デバイスとしてここで定義される補助デバイスも含む。
【００２４】
これらの補助デバイスの中でも、空調モータ、パワーウィンドウモータ、またはその他に、地理位置情報およびナビゲーションシステムについて言及されることがある。
【００２５】
この地理位置情報およびナビゲーションシステムは従来、自動車の地理位置情報に基づく（ｇｅｏｌｏｃａｔｅｄ）位置に関する信号を受信するためのアンテナ、国または地域の地図を格納するためのメモリ、およびこの地図上に車の位置を図示するための画面を含む。
【００２６】
この場合、この画面が、この画面に情報を運転者が入力することを可能にするタッチスクリーンであるケースが考慮される。これは、当然、異なる画面であることが可能である。
【００２７】
最後に、地理位置情報およびナビゲーションシステムは、運転者によって入力された情報、システムのメモリに格納された地図、および自動車の位置を考慮して、通ることになるルートを計算するためのコントローラを含む。
【００２８】
自動車１は、上述の２つのトラクションチェーン（特に電気エンジンによって、および内燃機関によって作り出される動力）を特に制御するために、この場合コンピュータと呼ばれる、電子制御ユニット（ＥＣＵ：ｅｌｅｃｔｒｏｎｉｃ  ｃｏｎｔｒｏｌ  ｕｎｉｔ）をさらに備える。
【００２９】
本発明の背景において、このコンピュータは、２つのトラクションチェーンが情報を通信できるように、地理位置情報およびナビゲーションシステムのコントローラに接続される。
【００３０】
この場合、２つのトラクションチェーンは、車のユニット間通信のメインネットワークによって（典型的にはＣＡＮバスによって）相互に接続される。
【００３１】
コンピュータは、プロセッサおよび（以下にメモリと呼ばれる）ストレージユニットを備える。
【００３２】
このメモリは、下記で説明される方法の背景において使用されるデータを格納する。
【００３３】
このメモリは、（本開示の残りの中で説明されることになる）図５に示されているタイプのテーブルを特に格納する。
【００３４】
このメモリは、コンピュータが以下で説明される方法を実行することをプロセッサによる命令の実行が可能にする命令を含むコンピュータプログラムから形成されたコンピュータアプリケーションも格納する。
【００３５】
導入として、以下で説明される方法に関する、本開示において使用されるいくつかの概念についての定義がここで行われる。
【００３６】
用語「ルート」は、したがって、到着位置に到達するために自動車が出発位置から通らなければならない経路であると定義されることが可能である。
【００３７】
この到着位置は、ルートの目的地であり、車に装備される電力ソケットを介してトラクションバッテリを再充電するための充電位置を装備されると考えられることになる。
【００３８】
各ルートは、「隣接セグメント」に、また「隣接セクション」に分割されることが可能である。
【００３９】
セグメントの概念は、地理位置情報およびナビゲーションシステムに装備されるコントローラによってネイティブに使用されることになる。
【００４０】
実際には、各セグメントは、例えば２つの交差点の間に延びるルートの一部に対応することが可能である。最短ルートまたは最速ルートを定義するために、コントローラは、したがって、ルートが通り過ぎるはずの道路のセグメントを判断することになる。
【００４１】
セクションの概念は異なる。セクションの概念は、本開示の残りにおいて詳細に説明されることになる。簡素化のために、ルートの各セクションは、道路の特徴が実質的に変化しないルートの一部に対応する。例として、ルートは、したがって、セクションのそれぞれに対して認められた最大制限速度が一定の、いくつかのセクションに分割されることが可能である。
【００４２】
これらのセクションは、ここで「属性」と呼ばれるパラメータによって特性を表現される。各セクションの特性を表現するための属性の例は以下のようなものである。
【００４３】
第１の属性は「道路カテゴリＦＣ」になる。地理位置情報およびナビゲーションシステムに装備されるコントローラは、一般に、このタイプのカテゴリを使用して様々なタイプの道路を区別する。この場合、このカテゴリは、例えば１から６の間の整数値をとることが可能である。１に等しい属性は、高速道路に対応することが可能であり、２に等しい属性は、幹線道路に対応することが可能である、等。
【００４４】
第２の属性は、度で表現されるか、百分率として表現される、セクションの「傾斜ＲＧ」になる。
【００４５】
第３、第４、第５、および第６の属性は、セクション上を進む車の特有の速度と関係することになる。
【００４６】
第３の属性は、セクションの「速度カテゴリＳＣ」になる。地理位置情報およびナビゲーションシステムに装備されるコントローラは、一般に、このタイプのカテゴリも使用して、様々なタイプの道路を区別する。この場合、このカテゴリは、例えば１から６の間の整数値をとることができる。１に等しい属性は、（１２０ｋｍ／ｈより速い）非常に高速な道路（ｈｉｇｈ−ｓｐｅｅｄ  ｒｏａｄ）に対応することが可能であり、２に等しい属性は、（１００ｋｍ／ｈから１２０ｋｍ／ｈの間の）高速な道路に対応することが可能である、等。
【００４７】
第４の属性は、セクションにわたる「認められた制限速度ＳＬ」になる。
【００４８】
第５の属性は、セクションにわたって観察される「平均速度ＳＭＳ」になる（この値は、各道路上で行われる統計学的測定から生じる）。
【００４９】
第６の属性は、セクションにわたって観察される「瞬間速度ＴＳ」になる（この値は、リアルタイムのトラフィック状態に関する情報システムから生じる）。
【００５０】
第７の属性は、セクションの「長さＬＬ」になる。
【００５１】
第８の属性は、セクションの「平均曲率半径ＬＣ」になる。
【００５２】
第９の属性は、車によって通られる進行方向におけるセクションの「車線数ＮＬ」になる。
【００５３】
以下の開示において、これらの９つの属性が、ルートの各セクションの特性を表現するために使用される。
【００５４】
１つの変形形態として、ルートの各セクションは、より少ない数またはより大きい数の属性によって特性を表現されることが可能である。
【００５５】
トラクションバッテリのエネルギー状態（ＳＯＥ）は、このトラクションバッテリ内の残りのエネルギーの特性を表現するためのパラメータであると、さらに定義されることになる。１つの変形形態として、バッテリの充電状態ＳＯＣ（ｓｔａｔｅ  ｏｆ  ｃｈａｒｇｅ）などの別のパラメータ、または同じタイプの他の任意のパラメータ（バッテリの内部抵抗、バッテリの端子間電圧、等）が使用されることが可能である。
【００５６】
次に、トラクションバッテリの充電または放電ΔＳＯＥは、２つの別々の時間において考慮される２つのエネルギー状態の間の相違に等しいとみなされることになる。
【００５７】
次に、検討中のセクション上にある車の「固有消費曲線」は、トラクションバッテリの充電値または放電値ΔＳＯＥを、車の各燃料消費値ＣＣと関連付ける曲線であると定義される。具体的には、所与のセクションにわたって、車の燃料消費ＣＣがどのようなものであるかを（踏破されるキロメートルあたりのリットルで）、またトラクションバッテリの充電または放電ΔＳＯＥがどのようなものであるかを（キロメートルあたりのワット時で）推定することが可能である。ある程度電気トラクションチェーンが、またはある程度熱トラクションチェーンが、車を運転するために使用されるかどうかに応じて、これらの２つの値が変化することになるので、これらの２つの値は曲線によってリンクされることになる。
【００５８】
膨大な数の固有消費曲線が存在するので、「基準曲線」は、特性がよくわかり、各固有消費曲線を概算することを可能にすることになる、特定の固有消費曲線であると、結論として定義される。言い換えると、本開示の残りにおいて、より明らかになるように、固有消費曲線ではなく、むしろ基準曲線（固有消費曲線の最近似値を形成することになる曲線）が、各ルートセクションと関連付けられることになる。
【００５９】
地理位置情報およびナビゲーションシステムのコントローラによって、ならびに車のコンピュータによって一緒に実行される方法は、車の燃料消費および電流消費を管理するための設定値を計算するための方法である。
【００６０】
この方法は、より具体的には、トラクションバッテリの健康状態を最適に保持するように、所定のルート上で、電気トラクションチェーンおよび熱トラクションチェーンが、どのように使用されるはずであるかを判断することに本質がある。
【００６１】
本発明の１つの特に有利な特徴によれば、方法は、以下の主な６つのステップを含む。
−  通ることになるルートを入手すること
−  前記ルートを連続的な隣接セクションＴｉに分割すること
−  本セクションＴｉの特性を表現する属性ＦＣ、ＳＣ、ＳＬ、ＴＳ、ＲＧ、ＬＬ、ＮＬ、ＳＭＳを各セクションＴｉに対して入手すること
−  セクションにわたるハイブリッド自動車の各燃料消費値ＣＣを、トラクションバッテリの充電値または放電値ΔＳＯＥとリンクさせる（ここで基準曲線ＣＥｊと呼ばれる）関係を、本セクションＴｉの属性ＦＣ、ＳＣ、ＳＬ、ＴＳ、ＲＧ、ＬＬ、ＮＬ、ＳＭＳを考慮して、セクションＴｉのそれぞれに対して判断すること
−  トラクションバッテリの健康状態ＳＯＨ（ｓｔａｔｅ  ｏｆ  ｈｅａｌｔｈ）を最適に保持するため、および前記ルートの終点においてトラクションバッテリの完全な放電を実現するために、各基準曲線ＣＥｊの最適点Ｐｉを判断すること、ならびに
−  前記最適点Ｐｉの座標の関数としてエネルギー管理設定値を構築すること
【００６２】
バッテリの耐用期間の全体を通して、バッテリは、使用中に起こる不可逆の化学変化により、徐々に悪化する傾向がある性能を示すということがこの時点で思い出されよう。この悪化は、バッテリが新しい状態において提供することができた能力と比較して、バッテリが固有の能力を提供することができることを定義する「健康状態ＳＯＨ」と呼ばれる指標を使用して数量化される。よく知られているように、この健康状態ＳＯＨは、バッテリの内部抵抗との、また（充電状態における）バッテリの端子間電圧との、非常に高い相関関係を示す。
【００６３】
これらの６つの連続的なステップは、本開示の残りにおいて説明される。
【００６４】
第１のステップは、自動車が通ることになるルートを入手することに本質がある。
【００６５】
このステップは、地理位置情報およびナビゲーションシステムに組み込まれているコントローラによって行われることが可能である。
【００６６】
このステップは、その後、従来の手法で実行される。
【００６７】
したがって、運転者が地理位置情報およびナビゲーションシステムのタッチスクリーンを使用して到着位置を定義すると、このシステムのコントローラは、特に運転者によって選択された行路パラメータ（最速ルート、最短ルート、等）に応じて、通ることになるルートを計算する。
【００６８】
この段階において、方法は、地理位置情報およびナビゲーションシステムによって定義されたルートとは異なるルートを車が通るとすぐにリセットされなければならないということがわかる。
【００６９】
１つの変形形態として、この第１のステップは、様々に行われることが可能である。
【００７０】
したがって、タッチスクリーン上に運転者が到着位置を入力することを不要にすることが可能になる。この目的のために、コントローラは、運転者の所定の手順を検出すること、およびこのことから到着位置を自動的に推定することができる。
【００７１】
例えば、運転者が毎日、同じルートを通って仕事に行くとき、このルートは、地理位置情報およびナビゲーションシステムのタッチスクリーン上で運転者がいずれの情報も入力せずに、自動的に入手されることが可能である。
【００７２】
この第１のステップの終わりに、地理位置情報およびナビゲーションシステムに組み込まれているコントローラは、その後、思い出されるように、それぞれが２つの交差点の間に延びる、複数の隣接セグメントから形成される車のルートを知る。
【００７３】
第２のステップは、ルートをセクションＴｉに分割することに本質がある。
【００７４】
ルートをセグメントではなくセクションに再分割する恩恵は、まず第１に、ルートの下位区分の数を低減させるということである。具体的には、２つの連続的なセグメントの属性が同一であるということがよくある。これらの２つの連続的なセグメントが、別々に処理されることになると、計算時間が不必要に増大されるであろう。全く同一のセクション内の同一セグメントを組み合わせることによって、計算時間を低減させることが可能になる。
【００７５】
別の恩恵は、全く同一のセグメントにわたる道路の特徴が実質的に変化してよいということである（セグメントの１つの部分が、傾斜のない道路に対応することが可能であり、このセグメントの別の部分が、傾斜の大きい道路に対応することが可能である）。この場合、セクションのそれぞれにわたって道路の特徴が同質なままであるセクションにルートを分割することが望まれる。
【００７６】
各セクションＴｉは、ルートの全長にわたって変化しない少なくとも１つの属性をもっているルートの一部であると、ここで定義されることになる。
【００７７】
この属性は、傾斜ＲＧおよび／または速度カテゴリＳＣおよび／または道路カテゴリＦＣからなることが可能である。
【００７８】
この場合、このステップは、地理位置情報およびナビゲーションシステムに組み込まれているコントローラによって実行されることになる。この目的のために、コントローラは、上述の３つの属性（ＲＧ、ＳＣ、ＦＣ）が一定である最長のセクションＴｉにルートを分割することになる。
【００７９】
この第２のステップの終わりに、コントローラは、このように、Ｎ個のセクションを定義した。
【００８０】
第３のステップは、各セクションＴｉの属性を入手することに本質がある。
【００８１】
属性のうちの１つが、検討中のセクションにわたって可変であるとき、これは、考慮されることになるセクション全体にわたるこの属性の平均値である。
【００８２】
実際には、この第３のステップは以下のように行われる。
【００８３】
まず第１に、地理位置情報およびナビゲーションシステムに組み込まれているコントローラは、新しいルートが計算されたことをコンピュータに通知する。コンピュータは、次に、例えば図１に示されたタイプのテーブルの形で、各セクションの属性の送付をリクエストする。
【００８４】
コントローラは、次に、各セクションの属性を以下のように入手する。
【００８５】
コントローラは、特にセクションの長さＬＬといった１つの部分を計算する。
【００８６】
コントローラは、特に、道路カテゴリＦＣ、傾斜ＲＧ、速度カテゴリＳＣ、認められた制限速度ＳＬ、平均速度ＳＭＳ、平均曲率半径ＬＣ、および車線数ＮＬといった属性の別の部分を、地理位置情報およびナビゲーションシステムのメモリから読み込む。
【００８７】
特に瞬間速度ＴＳといった、これらの属性の最後の部分は、別のデバイスによってコントローラに通信され、これは、リアルタイムのトラフィック状態に関する情報システムによってコントローラに通信される。
【００８８】
コントローラは、次に、ＣＡＮバスを介してこの情報の全てを車のメインコンピュータに送信する。
【００８９】
最初の３つのステップを行うために車のメインコンピュータではなく地理位置情報およびナビゲーションシステムに組み込まれているコントローラを使用する長所は、ＣＡＮバスによってコンピュータに送信されることになる情報量を低減させるということである。具体的には、同じ属性をもつルートの隣接セグメントを統合することによって、送信されるデータの大きさが低減され、このことにより、ＣＡＮバスによるデータ送信の速度を上げる。
【００９０】
情報を受け取ると、コンピュータは以下のステップを実行する。
【００９１】
第４のステップは、次に、セグメントＴｉのそれぞれに対して、コンピュータのメモリに格納された基準曲線ＣＥｊの中から、検討中のセクションＴｉにわたる車のエネルギー消費（燃料消費および電流消費）の最適な推定を可能にするものを判断することに本質がある。
【００９２】
このステップは、次に、属性の観点からの各セクションの特性表示からエネルギーコストの観点からの特性表示に移ることを可能にする。
【００９３】
本例示的実施形態のこの第４のステップの中で、コンピュータは、コンピュータのメモリに格納された、図５において示されたテーブルＴＡＢを使用することになる。
【００９４】
図５に示されているように、このテーブルＴＡＢは、それぞれが属性の値に（または値の間隔に）対応する行を有する。このテーブルＴＡＢは、それぞれが基準曲線ＣＥｊのうちの１つに対応する列を有する。図示された例において、コンピュータのメモリがＭ個の基準曲線ＣＥｊを格納するということが考慮されることになり、ここで、Ｍは、この場合、１１に等しい。
【００９５】
図５において、テーブルＴＡＢのセルが収めることになる値は車の特徴に依存することになるので、テーブルＴＡＢのセルは空のままである。
【００９６】
実際には、このテーブルＴＡＢは、これらのセルのそれぞれにおける値とともにコンピュータのメモリに格納されることになる。
【００９７】
これらの値は、基準曲線ＣＥｊのどれか一方に対応する各属性値の確率に対応する（０から１の間の）確率値になる。
【００９８】
例として、セクションＴｉの道路カテゴリＦＣが２に等しい値を有する場合、基準曲線ＣＥ１によってエネルギーコストの観点から正しく特性を表現されるこのセクションの確率がａ１に等しくなるということ、基準曲線ＣＥ２によってエネルギーコストの観点から正しく特性を表現されるこのセクションの確率がａ２に等しくなるということ、等が、テーブルから読み取られることが可能である。
【００９９】
傾斜ＲＧおよび長さＬＬの値は、このテーブルＴＡＢにおいて意図的に使用されていないということがわかるであろう。
【０１００】
この段階において、コンピュータは、次に、検討中のセクションＴｉの各属性の値に対応する各確率値に注目することができる。
【０１０１】
図示された例において、この中で、属性ＦＣが２に等しいということ、属性ＳＣが６に等しいということ、属性ＳＬが３０に等しいということ、属性ＮＬが２に等しいということ、属性ＳＭＳが６０から８０の間であるということ、および属性ＴＳが４０から６０の間であるということが考慮され、コンピュータは、ａ１からａ１１、ｂ１からｂ１１、ｃ１からｃ１１、ｄ１からｄ１１、ｅ１からｅ１１、およびｆ１からｆ１１を示す値に注目する。
【０１０２】
コンピュータは、次に、１１個の基準曲線ＣＥｊのそれぞれによってエネルギーコストの観点から正しく特性を表現される検討中のセクションＴｉの確率の合計を計算する。
【０１０３】
図示された例において、コンピュータは、この目的のために、ａ１からｆ１、および次にａ２からｆ２、等を示す値を合計する。
【０１０４】
最後に、コンピュータは、１１個の合計のうちのどれが、最高の結果をもたらすかを判断する。
【０１０５】
コンピュータは、次に、この高確率の合計が関連付けられる基準曲線ＣＥｊが、エネルギーコストの観点からセクションＴｉの特性を最もよく表現するものであると考える。
【０１０６】
コンピュータは、次に、この基準曲線ＣＥｊの特性を表現するパラメータ値をコンピュータのメモリから入手することができる。
【０１０７】
本開示のこの段階において、より具体的に関心のある可能性のあるものは、これらの基準曲線が得られ、モデル化される方式である。
【０１０８】
各車両モデルに対して（または各エンジンモデルに対して、または自動車モデルの各セットに対して、またはエンジンモデルの各セットに対して）、様々な地理位置情報に基づく道路セクションにおいて多くのテスト走行（またはテスト走行のシミュレーション）を行う必要がある。
【０１０９】
これらのテスト走行は、属性が知られている様々なセクションにおける車の燃料消費および電流消費を判断するのを可能にする。この目的のために、車は、各セクションにわたって何回か移動させられ、電気エンジンによって毎回提供されるトラクションの比率を増加させる。
【０１１０】
その後、各セクションに対する固有消費曲線ＳＣＣを生成することが可能である。これらの固有消費曲線は、図４に示された曲線のタイプのものである。
【０１１１】
電気エネルギーが多く使用されればされるほど（つまりΔＳＯＥ＜０）、電気トラクションチェーンを排他的に使用する走行において、０に到達するまで、ますます燃料消費が落ちるということが、これらの曲線のそれぞれにおいて観察されることがある。対照的に、熱燃焼機関を介してバッテリを再充電する必要があればあるほど（ΔＳＯＥ＞０）、ますます燃料消費が増加する。最後に、各固有消費曲線ＳＣＣは、補助デバイスからの電気消費なく、水平の道路（傾斜のない道路）における走行の局面に対する、車の平均エネルギー消費を説明するということが思い出されるであろう。
【０１１２】
これらのテスト走行は、テストされるセクションと同数の固有消費曲線ＳＣＣを見つけるのを可能にする。
【０１１３】
各固有消費曲線ＳＣＣは、トラクションバッテリの充電および放電の変化ΔＳＯＥが、最小閾値ΔＳＯＥｍｉｎと最大閾値ΔＳＯＥｍａｘとの間に抑えられる、２次多項式によってモデル化されることが可能であり、多項式は、以下のように書かれることが可能である。
2020505263.tif 000003
ここでΨ０、Ψ１、Ψ２は、多項式の係数である。
【０１１４】
図４における曲線によって示されるように、このモデルを簡素化するために、２つの係数Ψ１、Ψ２が、１つの曲線から別の曲線まで同一であるということが推定されることが可能である。最小閾値ΔＳＯＥｍｉｎは、多項式の３つの係数に依存するということも観察されることがある。したがって、係数Ψ０および最大閾値ＳＯＥｍａｘだけが変化する。したがって、各固有消費曲線ＳＣＣの特性を表現するのを可能にするのはこれらの２つの値である。
【０１１５】
図３は、これらの２つの変数Ψ０およびΔＳＯＥｍａｘに座標が対応する点を１つの例を通じて示す。図３は、行われたテスト走行中に得られた固有消費曲線ＳＣＣの分布を示す。これらの点が１１個の別々のゾーンに分散しているということがここで考慮される。各ゾーンは、次に、ゾーンの重心によって定義される。
【０１１６】
したがって、上述されたように、本方法において、検討中のセクションに正確に対応する固有消費曲線は入手されず、むしろ変数Ψ０およびΔＳＯＥｍａｘが、これらの１１個のゾーンのうちの１つの重心に対応する１１個の基準曲線のうちの１つが考慮される。
【０１１７】
方法のこの段階において、各セクションＴｉは、次に、図２によって示されるように、上述のパラメータΨ０、Ψ１、Ψ２、ΔＳＯＥｍｉｎ、ΔＳＯＥｍａｘによって、また各セクションＴｉの長さＬＬｉによって、また各セクションの傾斜ＲＧｉによって、定義される。
【０１１８】
上述されたように、選択されるエネルギー曲線ＣＥｉは、セクションＴｉの傾斜、または補助デバイス（空調モータ等）の電流消費を考慮しない。
【０１１９】
各セクションＴｉの傾斜を考慮するために、傾斜ＲＧｉの関数として各基準曲線ＣＥｉを補正するステップが提供される。
【０１２０】
図７において明確に示されているように、この補正ステップは、単純に、傾斜ＲＧｉに依存する値によって、セクションＴｉと関連付けられる基準曲線ＣＥｉを上向きまたは下向き（つまり不変の充電または放電ΔＳＯＥ）にシフトさせることに本質がある。
【０１２１】
具体的には、検討中の道路セクションが坂を上がるとき、燃料消費が、最初に予測された燃料消費より多くなるということが理解される。対照的に、検討中の道路セクションが坂を下るとき、燃料消費は、最初に予測された燃料消費より少なくなる。
【０１２２】
さらに、制動フェーズ中には、坂を上がるときよりも坂を下るときに多くの電気エネルギーを回復させることが可能になる。
【０１２３】
実際には、補正ステップは、以下の公式を使用してパラメータΨ０を補正することに本質があることになる。
Ψ０’＝Ψ０＋Ｋ．ＲＧｉ    ［２］
ここで、Ｋは、検討中の車両モデルおよび車両モデルの特徴に依存する値における係数である（例として、Ｋ＝０．０１３２７ｌ．ｋｍ−１が、ここで考慮されることが可能である）。
【０１２４】
補助デバイスの電流消費を考慮するために、これらの補助デバイスによって消費される電力Ｐａｕｘの関数として各基準曲線ＣＥｉを補正する第２のステップが提供される。
【０１２５】
検討中の電力値Ｐａｕｘは、計算時に測定されることが可能な値であるということがここでわかるであろう。この方法において、したがって、消費電力はルートの中で実質的に一定のままになるということが想定される。（例えば空調が入れられたために）長期間にわたるこの電力の大きい変化をコンピュータが一度でも検出すると、新しい電力値Ｐａｕｘを考慮するように、このステップにおける方法を再開するようにプログラムされることが可能である。
【０１２６】
より具体的には、方法は、計算における検討中の電力と、測定された電力との間の相違が、閾値（例えば５分間）より大きい期間にわたって、閾値（例えば１０％）より大きいままである場合、この第２の補正ステップにリセットされることが可能である。
【０１２７】
図６において明確に示されるように、第２の補正ステップは、単純に、電力Ｐａｕｘに依存する値によって、セクションＴｉと関連付けられた基準曲線ＣＥｉを、左に（つまり一定の燃料消費で）シフトさせることに本質がある。
【０１２８】
具体的には、電気デバイスが使用されるとき、バッテリの充電は予測されるよりも遅くなり、このバッテリの放電は予測されるよりも速くなるということが理解される。
【０１２９】
実際には、補正ステップは、以下の公式から計算される値ＥＡＵＸによって基準曲線ＣＥｊをシフトさせることに本質があることになる。
2020505263.tif 000004
ここで、
2020505263.tif 000005
は、セクションにわたる平均速度を（ｋｍ／ｈで）表す。この値は、この値がトラフィックの速度の値に、または統計学的平均速度に、または認められた制限速度に等しくなるということを推定することによって、地理位置情報およびナビゲーションシステムによって直接的に供給されることが可能である。
【０１３０】
本発明は、特に、ハイブリッド車の最終目的地に到達するのに必要な全エネルギーが、トラクションバッテリに収められた電気エネルギーよりはるかに大きいときに、トラクションバッテリの老朽化を抑えることができるエネルギー管理システム（ＥＭＳ）を提案することを目的とする。この場合、最終目的地に到達するのに必要なエネルギーの大部分は熱であり、トラクションバッテリは、このエネルギーのごく一部を節約することを可能にする。小さいエネルギーの節約を考慮すると、したがって、最適な使用条件でトラクションバッテリの使用を奨励することによってトラクションバッテリの健康状態（ＳＯＨ）を保持することが好ましい。
【０１３１】
具体的には、トラクションバッテリによってもたらされる全く同一の供給電圧に対して、トラクションバッテリが生成する電流の値は、トラクションバッテリの充電状態（ＳＯＣ）に応じて変化する。したがって、トラクションバッテリによって生成された電流の値は、トラクションバッテリの充電がそれぞれ高いか低いとき、非常に低いか、そうでなければ非常に高い可能性がある。これらの精密なケースにおいて、バッテリの構成要素は、過度に遅いダイナミクス、または過度に速いダイナミクスの影響下にあり、バッテリの構成要素の早期の消耗を引き起こす。この早期の老朽化現象を防ぐために、バッテリ製造業者は、トラクションバッテリの使用中の、最小充電状態値（ＳＯＥｍｉｎ、例えば１０％の充電）と、最大充電状態値（ＳＯＥｍａｘ、例えば９０％の充電）との間の、トラクションバッテリの充電のための最小閾値（ＳＯＥｍｉｎ’、例えば６０％の充電）と、最大閾値（ＳＯＥｍａｘ’、例えば８０％の充電）との間の、バッテリの使用最適値の範囲を推奨する。
【０１３２】
本発明は、車の最終目的地においてトラクションバッテリの完全な放電を同時に行う一方で、ハイブリッド車のルートの中で、トラクションバッテリの使用最適値の範囲で、またできるかぎり長く、トラクションバッテリの動作を奨励することを具体的に目的とする。用語「完全な放電」は、バッテリの充電が、休止している充電値より低くなることを意味すると理解される。例として、この休止している充電値は、トラクションバッテリの全体の充電のうちの、トラクションバッテリの容量の１０％より小さいか、または５％より小さいことが可能である。休止している充電値は、好ましくは、バッテリの空のストレージの最適の状態に関するバッテリの製造業者の推奨に対応する。
【０１３３】
本発明は、したがって、ハイブリッド車のエネルギー管理システムを最適化すること、車によって踏破される各セクションに対するトラクションバッテリの使用最適値の範囲［ＳＯＥｍｉｎ’，ＳＯＥｍａｘ’］でのトラクションバッテリの使用を奨励すること、および車のルートの終点におけるトラクションバッテリの完全な放電、のためのアルゴリズムを使用することを提案する。
【０１３４】
最適化アルゴリズムは、思い出されるように、ルートの各セクションに対して選択された各基準曲線ＣＥｊの最適点Ｐｉを判断することに本質がある、上述の方法の第５のステップにおいてコンピュータによって実行される。
【０１３５】
より具体的には、最適化アルゴリズムは、まず第１に、エネルギー消費が、ルート全体にわたってできるだけ低くなるように、エネルギーコスト関数ｆの値を、踏破されることになる各セクションの出発点において、最小化することを目的とする。
【０１３６】
このエネルギーコスト関数ｆは、新しいセクションｉに到達するために車によって消費されたエネルギーと、セクションＮに対応する最終目的地に到達するために使用されることになるエネルギーの推定との合計に対応する。
【０１３７】
より具体的には、エネルギーコスト関数ｆは、以下のように定義される。
ｆ（ｄｉ，ＳＯＥｉ）＝ｇ（ｄｉ，ＳＯＥｉ）＋ｈ（ｄ（ｉ，Ｎ），ＳＯＥ（ｉ，Ｎ））    ［４］
ここで、
−  関数ｇ（ｄｉ，ＳＯＥｉ）は、（ルートの出発点に対応する）最初のノードからノードｉに到達して、前のノードの全てを通るように、距離ｄｉを踏破するための全体的なエネルギーコストＳＯＥｉを表し、
−  関数ｈ（ｄ（ｉ，Ｎ），ＳＯＥ（ｉ，Ｎ））は、ノードｉから（最終目的地に対応する）最終ノードＮに到達するために、残りの距離ｄ（ｉ，Ｎ）を踏破するための残りのエネルギーコストＳＯＥ（ｉ，Ｎ）の推定を表す。
【０１３８】
各セクションｉの出発点における関数ｆの値の計算は、したがって、以下のように定義された関数ｇ（ｄｉ，ＳＯＥｉ）および関数ｈ（ｄ（ｉ，Ｎ），ＳＯＥ（ｉ，Ｎ））の値を計算することを含む。
2020505263.tif 000006
および
2020505263.tif 000007
ここで、
−  ｌｉは、セクションｉの長さであり、
−  ΔＳＯＥ（ｉ−１，ｉ）は、ノードｉの前のセクションにわたるトラクションバッテリの充電状態の変化であり、
−  
2020505263.tif 000008
は、ノードｉの前のセクションにわたるハイブリッド車の燃料消費である。
【０１３９】
本発明についての読者の理解を容易にするために、図８は、コンピュータによるエネルギーコスト関数ｆの値の計算の例を示す。より具体的には、図８において、ハイブリッド車のルートは、文字Ｔによって表されたハイブリッド車の最終目的地まで、Ｎ個のセクションに分割される。各セクションは、横座標軸上にプロットされた特定の距離ｌｉによって特性を表現される。縦座標軸は、ルートに沿ったトラクションバッテリの充電状態（ＳＯＥ）を示す。本例において、ハイブリッド車は、ハイブリッド車の行路の第２のセクション（ｉ＝２）に近づく。次に、コンピュータは、トラクションバッテリの充電状態の変化に従って、関数ｈの値を変化させることによって、より具体的には、ルートの最終目的地に到達するのに必要な燃料消費の値を変化させることによって、エネルギーコストの関数ｆの値を計算する。本例において、関数ｈの５つの値が計算され、第１および第２のセクションの境界を示す軸上に、図８においてプロットされる関数ｆの５つの値を得ることを可能にする。当然、コンピュータは、より大きい数、またはより小さい数の関数ｆの値の計算を行うことができる。
【０１４０】
注意として、本発明は、特に、車の最終目的地に到達するのに必要なエネルギーが、トラクションバッテリ内の利用可能な電気エネルギーよりはるかに大きいときに、トラクションバッテリの老朽化を抑えることを目的とする。この目的のために、本発明は、トラクションバッテリの健康状態（ＳＯＨ）を保持するための保持値（ｒｐｒｅ）で、方程式［５］および方程式［６］において使用される燃料消費値に重みを付けることを提案する。
【０１４１】
この重み付けの目的は、全体的に、ルート全体にわたる車のエネルギー消費に依存するだけでなく、ルートが長く、電気トラクションチェーンからの寄与が無視できるほどのものになるとき、バッテリに及ぼされる負担、および負担がバッテリを老朽化させることになるようなものである負担が、抑えられたままであるように、ルートの各ノードが選ばれる局面を作り出すことである。
【０１４２】
燃料消費値は、以下のように、より具体的に重み付けされる。
2020505263.tif 000009
ここで、
−  ΔＳＯＥ（ｘ，ｙ）は、ノードｘとノードｙによって境界を示されたセクションにおける、進んだキロメートルあたりのトラクションバッテリの充電状態の変化を表し、
−  
2020505263.tif 000010
は、ノードｘとノードｙの間のトラクションバッテリの充電状態の平均値を表し、
−  Ｒｘは、ノードｘと最終ノードＮとの間の距離を表し、
−  
2020505263.tif 000011
は、ノードｉに対して上記の方程式［１］において定義されたような関数を表す。
【０１４３】
保持関係（ｒｐｒｅ）は、以下のパラメータに依存する。
2020505263.tif 000012
ここで、
−  ｆａｃｔ（Ｒｘ）は、活性化関数を表し、ここで、Ｒｘは、ハイブリッド車の最終目的地に到達するために、ハイブリッド車によって踏破されることになる距離であり、
−  
2020505263.tif 000013
は、重み関数を表し、
−  ＳＯＥｒｅｃは、トラクションバッテリの使用最適値の推奨範囲の中央値を表し、ここで、
2020505263.tif 000014
であり、
−  ｐｍａｘは、最大重み値を表す。
【０１４４】
特に、トラクションバッテリの使用最適値の範囲は、バッテリのタイプ、およびバッテリの製造業者の推奨に依存する。例として、トラクションバッテリのこの使用最適値の範囲は、バッテリの最大電気充電の６０％から８０％の間にあることが可能である。当然、これらの値は、使用されるバッテリの固有の特性に応じて変化することが可能である。
【０１４５】
活性化関数ｆａｃｔは、自動車の最終目的地に到達する前に自動車が踏破しなければならない距離ＲＴに依存する。活性化関数は、車の最終目的地から依然として遠い距離に車があるときの燃料消費値ｍｆｃにかなりの重み付け（つまりかなりの重み）を適用すること、および、その後、車の目的地に車が到着するとバッテリの完全な放電を可能にするようにこの重みを低減させること、を可能にすることを目的とする。
【０１４６】
この目的のために、以下の距離の閾値が定義されることが可能である。
−  Ｒｍｉｎは、これより小さい距離には重み付けが適用されない最小距離を表し（ｆｆａｃ（Ｒｘ）＝０、ここでＲＴ＜Ｒｍｉｎ）、例として、Ｒｍｉｎの値は、キロメートルで、車の最大電気航続距離（ｌＡＥＲ）の２倍に対応することが可能であり、
−  Ｒｍａｘは、この距離を超えると重み付けの１００％が適用される距離を表し（ｆｆａｃ（Ｒｘ）＝１、ここでＲＴ＞Ｒｍａｘ）、例として、Ｒｍａｘの値は、キロメートルで、車の最大電気航続距離（ＡＥＲ）の６倍に対応することが可能である。
【０１４７】
重み関数は、図９に示されたように、値ＲｍｉｎとＲｍａｘの間で線形的に変化することが可能であるということに留意されたい。当然、他の変化のプロフィールが可能である。
【０１４８】
重み関数ｆｐｏｎは、第１に、ノードｘとノードｙの間のトラクションバッテリの充電状態の平均値に依存し、第２に、トラクションバッテリの最適使用範囲における推奨ＳＯＥ間隔の中央値を表す値ＳＯＥｒｅｃに依存する。この重み関数は、したがって、エネルギー状態ＳＯＥが、できるだけ長く最適使用範囲のままである（できるだけ長く車がルートの到着地点から離れている）局面を作り出すことを目的とする。例として、重み関数は、図１０に示されたトレース（Ｉ）およびトレース（ＩＩ）のどれか一方を再現するように定義されることが可能である。当然、他のトレースプロフィールが可能である。
【０１４９】
最大重み値ｐｍａｘは、最適使用範囲にあるエネルギー状態ＳＯＥのノードの最大限の重み付けを定義する。例として、最大重み値は、最適使用範囲にあるノードの１０％を奨励するように、０．１に等しいことが可能である。
【０１５０】
上述の重み付け関係の使用は、したがって、トラクションバッテリの充電状態が、ルートの中で、できるだけトラクションバッテリの使用最適値の範囲内にあるように、トラクションバッテリを放電または再充電すること、およびルートの終点においてトラクションバッテリの完全な放電を保証すること、を可能にする燃料消費に対応する値を最適化アルゴリズムが、その後、優先するように、エネルギーコスト関数ｆの計算値を修正することを可能にする。したがって、本例において、関数ｆの値は、例えば図８における値３に対応するトラクションバッテリの最適使用範囲の間隔の中央で関数ｆの計算値ができるだけ低くなるように、重み付け関係によって最小化される。
【０１５１】
最適化アルゴリズムによって判断された関数ｆの最小値に応じて、コンピュータは、トラクションバッテリの使用最適値の範囲でトラクションバッテリの使用を奨励することを可能にする、セクションＴｉと関連付けられた基準曲線ＣＥｉ上の最適点（Ｐｉ）をこの最小値から推定する。
【０１５２】
上述の方法の第６のステップにおいて、（基準曲線ＣＥｊの最適点を通る）最適経路が見つかると、コンピュータは、最適点Ｐｉの座標の関数としてエネルギー管理設定値を構築する。このエネルギー管理設定値は、その後、進路を監視するために、コンピュータによってルートの中で使用される。
【０１５３】
非常に多くの方法が、このような監視が行われることを可能にする。１つの例は、出願人によって出願された特許出願ＦＲ２９８８６７４に、または他には、文献ＷＯ２０１３１５０２０６およびＷＯ２０１４００１７０７に特に明確に示されている。
【０１５４】
図１１は、ハイブリッド車が３０ｋｍの最大電気航続距離ｌＡＥＲを有するシナリオによる、高速道路上のおよそ８００ｋｍのルートに対する、本発明によるエネルギー管理設定値の例を示す。曲線Ａは、曲線Ｂによって示された本発明によるエネルギー管理設定値と比較した、従来技術から知られている放電維持方策を使用するエネルギー管理設定値を示す。この例において、本発明は、６００％よりも多く、トラクションバッテリがトラクションバッテリの最適使用範囲で動作する距離を増加させることを可能にし、この距離は、１０ｋｍから６００ｋｍまで変化する。さらに、本発明は、ルートの終点においてトラクションバッテリの完全な放電を保証することを可能にし、このことにより、車の電位の使用を最大化し、燃料消費を低減させることを可能にする。
【０１５５】
本発明は、説明され、示された実施形態に少しも限定されないが、当業者は、本発明の精神に従って本発明に何らかの変化を加える方法を知るであろう。
【０１５６】
特に、基準曲線のパラメータΨ０、Ψ１、Ψ２、ΔＳＯＥｍｉｎ、ΔＳＯＥｍａｘを格納するのではなく、各基準曲線の形の特性を全体的に表現する点をコンピュータが格納することが可能である。次に、地図作成に対する参照が行われる。
【０１５７】
本発明の別の変形形態によれば、地理位置情報およびナビゲーションシステムが、ルートのセクションの属性の値を知らない場合、以下を行うことが可能である。
−  確率の合計の計算がこの属性に割り当てられた確率の値を考慮しないこと
−  または計算が未知の値を所定の値で置き替えること
【０１５８】
結論として、本発明は、ハイブリッド自動車の燃料消費および電流消費を管理するための設定値を計算するための斬新な方法を提案し、トラクションバッテリの最大電気航続距離より大きいルートの中でトラクションバッテリの老朽化を低減させ、一方で、ハイブリッド車の最終目的地にハイブリッド車が到着するときにトラクションバッテリが放電されることを保証する。言い換えると、本発明は、バッテリの最適動作状態でバッテリが動作していないときの燃料消費計算に不利益をもたらすが、車が目的地に到着するときに、バッテリのエネルギー状態が推奨最小閾値に到達することを同時に保証する、重み関数を含む最適化アルゴリズムを提案する。
【図１】
2020505263.tif 000015
【図２】
2020505263.tif 000016
【図３】
2020505263.tif 000017
【図４】
2020505263.tif 000018
【図５】
2020505263.tif 000019
【図６】
2020505263.tif 000020
【図７】
2020505263.tif 000021
【図８】
2020505263.tif 000022
【図９】
2020505263.tif 000023
【図１０】
2020505263.tif 000024
【図１１】
2020505263.tif 000025
【国際調査報告】
2020505263.tif 000026
2020505263.tif 000027
2020505263.tif 000028
2020505263.tif 000029